(57)【要約】【課題】ゴミや埃を舞い上がらせることなく、段差の角部や凹部等の隙間に溜まったゴミや埃であっても容易に掃き集めることができる掃除用具を提供する。【解決手段】掃除部本体１として、芯材１１を備えたスポンジ部材（弾性部材）１２で構成し、掃除部本体１を支持する把持部２に掃除用シート３を着脱自在とするピンチ部材（取り付け部材）２２ｂを設けた構成とする。【選択図】図１
0003124705.tif 000002
【実用新案登録請求の範囲】
【請求項１】
掃除部本体と、当該掃除部本体を支持する把持部と、を備え、前記掃除部本体の周囲に掃除用シートを装着して使用する掃除用具において、
前記掃除部本体は弾性部材からなり、前記把持部には前記掃除用シートを着脱自在とする取り付け部材が設けられていることを特徴とする掃除用具。
【請求項２】
前記掃除部本体は、前記弾性部材に芯材を備えてなることを特徴とする請求項１に記載の掃除用具。
【請求項３】
前記掃除部本体は、前記取り付け部材に着脱自在となっていることを特徴とする請求項１又は２に記載の掃除用具。
【考案の詳細な説明】
【技術分野】
【０００１】
本考案は、掃除用具に関する。
【背景技術】
【０００２】
従来、ゴミや埃を掃除するための掃除用具としては、特許文献１及び特許文献２に記載のように、掃除部本体と、この掃除部本体を支持する把持部と、を備えたものが提案されている。
【０００３】
特許文献１では、掃除部本体として、材質が同一で、径の細いものから太いものまで３種類以上のプラスチック製線材を組み合わせたものを備えたほうき型の掃除用具が提案されている。
【０００４】
特許文献２では、掃除部本体として、略矩形状平板の下面を掃除面とし、この掃除面に掃除用シートを装着したものを備えたモップ型の掃除用具が提案されている。
【特許文献１】特開２００１−４６２９３号公報
【特許文献２】特開２００５−２４５６６４号公報
【考案の開示】
【考案が解決しようとする課題】
【０００５】
しかしながら、上述した特許文献１に記載の掃除用具においては、ゴミや埃を掃き集める際に、ゴミや埃が舞い上がりやすいという不具合があった。
【０００６】
一方、上述した特許文献２に記載の掃除用具においては、ゴミや埃が掃除用シートで拭き取られるため、ゴミや埃の舞い上がりを防止できるが、段差の角部や凹部等、掃除部本体をなす平板が入り込みにくい隙間に溜まったゴミや埃を掃除することが難しいという不具合があった。
【０００７】
そこで、本考案は、上記不具合を解消するためになされたものであり、ゴミや埃を舞い上がらせることなく、段差の角部や凹部等の隙間に溜まったゴミや埃であっても容易に掃除できる掃除用具を提供することを課題としている。
【課題を解決するための手段】
【０００８】
このような課題を解決するために、本考案に係る掃除用具は、掃除部本体と、当該掃除部本体を支持する把持部と、を備え、前記掃除部本体の周囲に掃除用シートを装着して使用する掃除用具において、前記掃除部本体は弾性部材からなり、前記把持部には前記掃除用シートを着脱自在とする取り付け部材が設けられている構成としている。
【０００９】
この構成によれば、ゴミや埃が掃除用シートで拭き取られるため、ゴミや埃の舞い上がりを防止できるとともに、掃除部本体が弾性変形して、段差の角部や凹部等の隙間に入り込むため、隙間に溜まったゴミや埃であっても容易に掃除することができる。
【００１０】
また、把持部に掃除用シートを着脱自在とする取り付け部材を設けたことにより、掃除用シートが汚れた場合に洗濯したり、別の掃除用シートに取り替えたりすることができるとともに、掃除する箇所に応じて、形状や素材の異なる掃除用シートを装着することができる。
【００１１】
なお、本考案において、弾性部材としては、例えば、スポンジ部材やゴム部材を用いることができる。また、本考案において、取り付け部材としては、例えば、ピンチ部材やボタン部材を用いることができる。さらに、本考案において、掃除用シートとしては、紙材や布材からなる公知の掃除用シートを用いることができる。さらに、本考案において、掃除部本体の形状は、掃除が可能な形状であれば特に限定されないが、例えば、略矩形の平板状とし、その平面の両面及び側面の一部を掃除面とすることが好ましい。
【００１２】
本考案に係る掃除用具において、前記掃除部本体は、前記弾性部材に芯材を備えてなる構成としてもよい。
【００１３】
この構成によれば、掃除部本体の形状を保持しやすくなるとともに、掃除部本体の撓曲性が向上するため、段差の角部や凹部等の隙間に溜まったゴミや埃をさらに効率よく掃除することができる。
【００１４】
なお、本考案において、芯材としては、例えば、プラスチック部材や硬質の紙材を用いることができる。
【００１５】
本考案に係る掃除用具において、前記掃除部本体は、前記把持部に着脱自在となっている構成としてもよい。
【００１６】
この構成によれば、把持部から掃除部本体自体を取り外して洗濯したり、掃除する箇所に応じて、形状や素材の異なる弾性部材に取り替えたりすることが可能となる。
【考案の効果】
【００１７】
本考案に係る掃除用具によれば、ゴミや埃を舞い上がらせることなく、段差の角部や凹部等の隙間に溜まったゴミや埃であっても容易に掃除することができる。
【考案を実施するための最良の形態】
【００１８】
以下、本考案に係る実施形態について図面を参照しながら説明する。
【００１９】
図１は、本考案に係る掃除用具の一例を示す斜視図である。図２は、本考案に係る掃除用具の組み立て状態を示す斜視図である。図３は、本考案に係る掃除用具の一使用例を示す説明図である。
【００２０】
この掃除用具１０は、図1に示すように、掃除部本体１と、この掃除部本体１を支持する棒状の把持部２と、掃除部本体１の周囲に着脱自在に取り付ける掃除用シート３と、から構成されている。
【００２１】
掃除部本体１は、プラスチック製芯材１１の両面を、帯状のスポンジ部材（弾性部材）１２で被覆してなり、全体が略矩形の平板状となっている。ここで、掃除部本体１をなす平板の両面及び側面の一部が、掃除面として機能するようになっている。
【００２２】
把持部２は、その長手方向一端に使用者が把持する取手部２１を備え、その長手方向他端に掃除部本体１及び掃除用シート３を固定する固定部２２を備えている。
【００２３】
固定部２２は、掃除部本体１の一端を挟持する挟持部２２ａと、この挟持部２２ａに掃除部本体１及び掃除用シート３を挟んだ状態で着脱自在とする二個のピンチ部材（取り付け部材）２２ｂと、を備えている。
【００２４】
掃除用シート３は、紙材や布材からなる公知の掃除用シートを、掃除する箇所に応じて選択して用いる。
【００２５】
この掃除用具１０は、図2に示すように、掃除部本体１の周囲を覆うように掃除用シート３を取り付けた状態で、掃除部本体１及び掃除用シート３の一端部を固定部２２で固定し、通常のほうきと同様に掃除部本体１を揺動させて使用する。
【００２６】
この掃除用具１０によれば、掃除部本体１をスポンジ部材１２で構成したことにより、図３（ａ）に示すように、掃除部本体１が段差の角部４Ａに入り込んだり、図３（ｂ）に示すように、掃除部本体１が凹部４Ｂに入り込むようになるため、段差の角部４Ａや凹部４Ｂ等の隙間に溜まったゴミや埃であっても容易に掃除することができる。
【００２７】
また、この掃除用具１０によれば、掃除部本体１の周面に掃除用シート３を取り付けて使用することにより、ゴミや埃が掃除用シート３で拭き取られるため、ゴミや埃の舞い上がりを防止することができる。
【００２８】
なお、本実施形態の掃除用具１０では、把持部２に設けられた固定部２２に掃除部本体１と掃除用シート３との両方を着脱自在とする構成としたが、掃除部本体１は固定部材２２に固定し、掃除用シート３のみを取り付け部材２２ｂに着脱自在とする構成としてもよい。
【００２９】
また、本実施形態の掃除用具１０では、掃除部本体１として、スポンジ部材１２に芯材１１を備えた構成としたが、掃除部本体１をなす弾性部材の素材や掃除箇所に応じて、芯材１１を備えない構成としてもよい。
【図面の簡単な説明】
【００３０】
【図１】本考案に係る掃除用具の一例を示す斜視図である。
【図２】本考案に係る掃除用具の組み立て例を示す斜視図である。
【図３】本考案に係る掃除用具の一使用例を示す説明図である。
【符号の説明】
【００３１】
１    掃除部本体
２    把持部
３    掃除用シート
４Ａ  角部
４Ｂ  凹部
１０    掃除用具
１１    芯材
１２    スポンジ部材（弾性部材）
２１    取手部
２２    固定部
２２ａ  挟持部
２２ｂ  ピンチ部材（取り付け部材）
【図１】
0003124705.tif 000003
【図２】
0003124705.tif 000004
【図３】
0003124705.tif 000005